(57)【要約】【課題】一のＡＶ装置のユーザ設定値を他のＡＶ装置にそのまま適用する従来技術では、装置特性などの違いや設置環境などの違いによってユーザの所望する設定状態とならないことがある、という課題がある。【解決手段】以上の課題を解決するために、本発明は、ＡＶシステム内の複数のＡＶ装置間でユーザ設定情報を同期させる際に、例えば装置特性や設置環境などの違いに応じて定められる補正情報を別途取得し、その補正情報によって一のＡＶ装置のユーザ設定情報を補正した上で他のＡＶ装置に適用する機能を備えるＡＶシステムを提供する。【選択図】図２
2013123136.tif 000002
【特許請求の範囲】
【請求項１】
ユーザ設定情報によりユーザ設定可能な複数のＡＶ装置を有するＡＶシステムであって、
一のＡＶ装置からユーザ設定情報を取得する第一取得部と、
ＡＶ装置の属性情報に基づき一のＡＶ装置の設定情報を他のＡＶ装置に適用するための補正情報を取得する第二取得部と、
取得した補正情報とユーザ設定情報から他のＡＶ装置の設定情報を取得する第三取得部と、
を有するＡＶシステム。
【請求項２】
前記ＡＶ装置の属性情報は、前記ＡＶ装置の識別情報、映像表示パネル特性情報、スピーカ特性情報のいずれか一以上である請求項１に記載のＡＶシステム。
【請求項３】
前記ＡＶ装置の属性情報は、前記ＡＶ装置の設置位置情報、又は／及び設置場所の環境情報である請求項１又は２に記載のＡＶシステム。
【請求項４】
第一取得部は、
前記ＡＶ装置を特定するための情報であるＡＶ装置特定情報を取得するＡＶ装置特定情報取得手段と、を有し
取得したＡＶ装置特定情報で示されるＡＶ装置を前記一のＡＶ装置としてユーザ設定情報を取得することを特徴とする請求項１から３のいずれか一に記載のＡＶシステム。
【請求項５】
前記一のＡＶ装置のユーザ設定情報、又は／及び補正情報はサーバ装置に保持されている請求項１から４のいずれか一に記載のＡＶシステム。
【請求項６】
前記ＡＶ装置が、テレビジョン受信装置である請求項１から５のいずれか一に記載のＡＶシステム。
【請求項７】
一のＡＶ装置のユーザ設定情報によりユーザ設定可能な他のＡＶ装置であって、
一のＡＶ装置からユーザ設定情報を取得する第一取得部と、
自身の属性情報に基づき一のＡＶ装置の設定情報を自身に適用するための補正情報を取得する第二取得部と、
取得した補正情報とユーザ設定情報から自身の設定情報を取得する第三取得部と、
を有するＡＶ装置。
【請求項８】
請求項７に記載のＡＶ装置を含むテレビジョン受信装置。
【請求項９】
ユーザ設定情報によりユーザ設定可能な複数のＡＶ装置を有するＡＶシステムを動作させるプログラムであって、
一のＡＶ装置からユーザ設定情報を取得する第一取得ステップと、
ＡＶ装置の属性情報に基づき一のＡＶ装置の設定情報を他のＡＶ装置に適用するための補正情報を取得する第二取得ステップと、
取得した補正情報とユーザ設定情報から他のＡＶ装置の設定情報を取得する第三取得ステップと、
をＡＶシステムにて実行するプログラム。
【請求項１０】
請求項９に記載のプログラムを記憶した記憶媒体。
【発明の詳細な説明】
【技術分野】
【０００１】
本発明は、複数のＡＶ装置がＬＡＮなどのネットワークで接続されたＡＶシステムにおいて、一のＡＶ装置のユーザ設定情報を他のＡＶ装置のユーザ設定として好適に適用するための技術に関する。
【背景技術】
【０００２】
テレビ受像機をはじめとするＡＶ装置の低価格化が進み、同じ種類や同じ用途の複数のＡＶ装置が、一のユーザ宅に設置されることも一般的になっている。例えばテレビ受像機であれば、居間と寝室と子供部屋にそれぞれ1台ずつ設置されている、という具合である。ところでＡＶ装置には、出力される画質や音質などの各設定についてユーザが好みの値に任意調整することができる、いわゆる「ユーザ設定」機能が備えられていることが多い。
【０００３】
そして上記のように一のユーザ宅内などに同じ種類や用途のＡＶ装置が複数設置されている場合、ユーザ設定をそれぞれのＡＶ装置で別々に行うのは手間である。そこで特許文献１には、宅内ネットワークで接続されたこれら複数のＡＶ装置に関して、一のＡＶ装置でユーザ設定を行うとその設定情報を他のＡＶ装置にもコピーすることでユーザ設定を自動で行う技術が開示されている。
【先行技術文献】
【特許文献】
【０００４】
【特許文献１】特開２００８−０６７１３０号公報
【発明の概要】
【発明が解決しようとする課題】
【０００５】
しかし上記従来の技術には以下のような課題がある。すなわち同じ種類のＡＶ装置であっても、製造メーカや製造年代、価格帯などの違いによって装置のハードウェアやソフトウェアが異なり、同じユーザ設定値であっても映像の見え方や音の聞こえ方などが異なる場合がある。あるいは同じ用途のテレビ受像機のスピーカとオーディオコンポのスピーカとでは、その設計思想自体が異なるなどのため、やはり同じユーザ設定値であっても音の聞こえ方が全く異なる場合がある。
【０００６】
あるいは同じテレビ受像機であっても、例えば薄暗いパーソナルシアタールームに設置されている場合と、明るい照明下の居間に設置されている場合とで、同じユーザ設定値で映像の見え方が異なる。このように一のＡＶ装置のユーザ設定値を他のＡＶ装置にそのまま適用する従来技術では、上記のような装置特性の違いや設置環境の違いなどによってユーザの所望する設定状態とならないことがある、という課題がある。
【課題を解決するための手段】
【０００７】
以上の課題を解決するために、本発明は、ＡＶシステム内の複数のＡＶ装置間でユーザ設定情報を同期させる際に、例えば装置特性や設置環境などの違いに応じて定められる補正情報を別途取得し、その補正情報によって一のＡＶ装置のユーザ設定情報を補正した上で他のＡＶ装置に適用する機能を備えるＡＶシステムを提供する。具体的に、ユーザ設定情報によりユーザ設定可能な複数のＡＶ装置を有するＡＶシステムであって、一のＡＶ装置からユーザ設定情報を取得する第一取得部と、他のＡＶ装置の属性情報に基づき一のＡＶ装置の設定情報を他のＡＶ装置に適用するための補正情報を取得する第二取得部と、取得した補正情報とユーザ設定情報から他のＡＶ装置の設定情報を取得する第三取得部と、を有するＡＶシステムを提供する。
【０００８】
また、前記他のＡＶ装置の属性情報として、ＡＶ装置の識別情報、映像表示パネル特性情報、スピーカ特性情報のいずれか一以上を利用するＡＶシステムや、ＡＶ装置の設置位置情報、又は／及び設置場所の環境情報を利用するＡＶシステムも提供する。
【０００９】
また、上記構成に加えて、前記第一取得部が、ＡＶ装置の特定するための情報であるＡＶ装置特定情報を取得するＡＶ装置特定情報取得手段を有し、取得したＡＶ装置特定情報で示されるＡＶ装置を一のＡＶ装置としてユーザ設定情報を取得することを特徴とするＡＶシステムも提供する。また、前記一のＡＶ装置のユーザ設定情報、又は／及び補正情報はサーバ装置に保持されているＡＶシステムも提供する。
【００１０】
また、上記のようなＡＶシステムを動作させるためのプログラムも合わせて提供する。
【発明の効果】
【００１１】
以上のような構成をとる本発明によって、ＡＶシステム内の複数のＡＶ装置間でユーザ設定情報を同期させる際に、各ＡＶ装置の装置特性や設置環境などが異なっていたとしても、その相違を吸収した上で同じような出力形態（見え方や聞こえ方）とすることができる。
【図面の簡単な説明】
【００１２】
【図１】実施例１のＡＶシステムにおけるユーザ設定情報の同期処理の一例を説明するための図
【図２】実施例１のＡＶシステムにおける機能ブロックの一例を表す図
【図３】実施例１のＡＶシステムにおけるユーザ設定情報を入力するためのＵＩ画面の一例を表す図
【図４】実施例１のＡＶシステムにおける補正情報の取得処理の一例を説明するための図
【図５】実施例１のＡＶシステムにおける補正情報の取得処理の、別の一例を説明するための図
【図６】実施例１のＡＶシステムにおけるハードウェア構成の一例を表す図
【図７】実施例１のＡＶシステムにおける処理の流れの一例を表すフローチャート
【発明を実施するための形態】
【００１３】
以下に、図を用いて本発明の実施の形態を説明する。なお、本発明はこれら実施の形態に何ら限定されるものではなく、その要旨を逸脱しない範囲において、種々なる態様で実施しうる。なお、実施例１は、主に請求項１から１０について説明する。
【００１４】
≪実施例１≫
＜概要＞
図１は、本実施例のＡＶシステムにおけるユーザ設定情報の同期処理の一例を説明するための図である。この図１（ａ）にあるように、居間に設置しているテレビ受像機αにおいてユーザ設定モードを実行し、そのノイズリダクション（ＮＲ）の強度設定値「強」や表示輝度のゲイン値「７５」などの調整をユーザが任意に行った。すると当該ゲイン値や強度設定値が寝室に置いてあるテレビ受像機βに対しても適用される。
【００１５】
そして本実施例のＡＶシステムでは、その際に、図に示すようなテレビ受像機αとΒの属性情報を取得する。そして、その属性情報（装置の型番Ｘ００１）からテレビ受像機αは大型で高価格帯のハイエンドモデルであり、また表示パネルの種類がグレアパネルであること、一方テレビ受像機β（型番Ｚ０２０）は新型かつ中サイズで普及価格帯のエントリーモデルであり、また表示パネルの種類がノングレアパネルであることなどが分かる。
【００１６】
すると、大型のものと比較して中サイズのディスプレイではノイズも小さくなり目立ちにくいこと、また新型でありノイズリダクション機能も強化されていることなどから、本実施例のＡＶシステムは、図１（ｂ）に示すようにテレビ受像機αのノイズリダクションの強度設定値を弱く補正（例えば「中」設定）した上でテレビ受像機βに適用する。また、ノングレアパネルはグレアパネルと比較して表示輝度が抑えられるので、テレビ受像機αの輝度のゲイン値などを高く補正（例えば「１００」）した上でテレビ受像機βに適用する、という具合である。
【００１７】
このように本実施例のＡＶシステムでは、ＡＶシステム内の複数のＡＶ装置間でユーザ設定情報を同期させる際に、各ＡＶ装置の装置特性などの違いを吸収した上で同じような出力形態となるようなユーザ設定とすることができる。
【００１８】
＜機能的構成＞
図２は、本実施例のＡＶシステムにおける機能ブロックの一例を表す図である。なお、以下に記載する本システムや装置の機能ブロックは、ハードウェア及びソフトウェアの組み合わせとして実現され得る。具体的には、コンピュータを利用するものであれば、ＣＰＵや主メモリ、バス、あるいは二次記憶装置（ハードディスクや不揮発性メモリ、ＣＤやＤＶＤなどの記憶メディアとそれらメディアの読取ドライブなど）、情報入力に利用される入力デバイス、印刷機器や表示装置、その他の外部周辺装置などのハードウェア構成部、またその外部周辺装置用のインターフェース、通信用インターフェース、それらハードウェアを制御するためのドライバプログラムやその他アプリケーションプログラム、ユーザ・インターフェース用アプリケーションなどが挙げられる。
【００１９】
そして主メモリ上に展開したプログラムに従ったＣＰＵの演算処理によって、入力デバイスやその他インターフェースなどから入力され、メモリやハードディスク上に保持されているデータなどが加工、蓄積されたり、上記各ハードウェアやソフトウェアを制御するための命令が生成されたりする。あるいは本システムなどの機能ブロックは専用ハードウェアによって実現されてもよい。
【００２０】
また、この発明はシステムや装置として実現できるのみでなく、方法としても実現可能である。また、このような発明の一部を装置上で実行させるためのソフトウェアとして構成することができる。さらに、そのようなソフトウェアをコンピュータに実行させるために用いるソフトウェア製品、及び同製品を固定した記録媒体も、当然にこの発明の技術的な範囲に含まれる（本明細書の全体を通じて同様である）。
【００２１】
そして図２にあるように、本実施例のＡＶシステム０２００は、第一取得部０２０１と、第二取得部０２０２と、第三取得部０２０３と、を有する。なお図示していないが、このＡＶシステムは複数のＡＶ装置を有する。したがって、上記のＡＶシステムの各構成要件０２０１、０２０２、０２０３は、例えばＡＶシステムがＰｔｏＰ型のネットワークであれば各ＡＶ装置のハードウェア構成にて実現されても良いし、ＡＶシステムがサーバ・クライアント側のネットワークであればサーバ装置のハードウェア構成にて実現されても良い。あるいはＡＶ装置とサーバ装置のハードウェア構成にて上記構成要件が分担され実現されても良い。
【００２２】
また、ＡＶシステムに含まれる各ＡＶ装置は、音声（オーディオ）や映像（ビジュアル）を再生出力するための装置であれば特に限定せず、例えばテレビ受像機や各種モニタ、スクリーンプロジェクタ、デジタルフォトフレームなどの映像表示装置、ＨＤＤレコーダやＤＶＤプレーヤなどの映像録画／再生装置、ラジオ受信機、オーディオコンポ、ＣＤプレーヤ、スピーカシステムなどの音声出力装置、あるいはテレビゲームなどのその他装置が挙げられる。そしてこれらＡＶ装置は、ユーザ設定情報により音声や映像の出力形態をユーザ設定可能であることを特徴とする。
【００２３】
図３は、このユーザ設定情報を入力するためのＵＩ（ユーザ・インターフェース）画面の一例を表す図である。この図３（ａ）にあるように、例えば映像用のＡＶ装置のユーザ設定情報として映像の輝度ゲイン値やバックライト輝度のゲイン値、コントラストゲイン値、色温度の設定値、ノイズリダクションの強度設定値の他、ＲＧＢ値のゲイン値、エッジ強調の設定値、２Ｄ／３Ｄ映像変換の変換強度設定値などが挙げられる。また、図３（ｂ）に示すように音声用のユーザ設定であれば、デフォルトの音声再生／録音ボリューム値、サラウンド再生機能のオン／オフ設定、特定周波数のゲイン値（イコライザ設定値）やプリセットでの選択値の他、ノイズリダクションの強度設定値、再生スピードの設定値、あるいは歌詞表示有無の設定値などが挙げられる。また、圧縮録画／録音するレコーダであればデータ圧縮効率によって出力映像や音声の質が変わるので、そのようなデータ圧縮効率の情報もユーザ設定情報の一例として挙げられる。
【００２４】
そして本実施例のＡＶシステムでは、あるＡＶ装置で設定された上記のような各ユーザ設定値を他のＡＶ装置に適用する際に、下記の構成によって適用対象のＡＶ装置に応じて適宜その設定値を補正することを特徴とする。
【００２５】
第一取得部０２０１は、一のＡＶ装置からユーザ設定情報を取得する機能を有し、例えばＣＰＵや主メモリ、Ｉ／Ｏ（インプット／アウトプット）、第一取得プログラムなどによって実現することができる。なお「ユーザ設定情報」とは、ＡＶ装置からの音声や映像の出力形態を定義するための図３に示すような所定項目に関してユーザが任意に設定した値を示す情報である。そして第一取得部では、例えばユーザ設定の同期命令を示す信号受信などに応じて、一のＡＶ装置にて図３のＵＩ画面などを介して入力、保持されているユーザ設定情報を読み出し取得する、という具合である。
【００２６】
なお、本実施例のＡＶシステムの各ＡＶ装置がＰｔｏＰ型ネットワークで接続されているものであれば、例えば一のＡＶ装置αにて、自身の内部に保持されているユーザ設定情報を取得する構成が挙げられる（その場合、後述する他のＡＶ装置のユーザ設定情報の取得もこの一のＡＶ装置αで実行され、その後、他のＡＶ装置βなどに補正されたユーザ設定情報が配信される構成とすると良い）。また一のＡＶ装置αから他のＡＶ装置βなどに対してユーザ設定情報がプッシュ型で送信され、それによりＡＶ装置αのユーザ設定情報を他のＡＶ装置βなどが受信し取得する構成も挙げられる。あるいは逆に他のＡＶ装置βから一のＡＶ装置αに対してユーザ設定情報の取得リクエストが送信され、それに応じて返信されたＡＶ装置αのユーザ設定情報をＡＶ装置βが受信し取得する構成しても良い（これらの場合、後述する他のＡＶ装置のユーザ設定情報の取得や補正されたユーザ設定情報の取得は他のＡＶ装置のそれぞれで実行される構成とすると良い）。
【００２７】
また、各ＡＶ装置がサーバ・クライアント型ネットワークで接続されているものであれば、サーバから一のＡＶ装置αに対してユーザ設定情報の取得リクエストが送信され、それに応じて返信されたＡＶ装置αのユーザ設定情報をサーバ装置が受信し取得する構成とすれば良い。なお、後述する第二取得部や第三取得部などの構成要件も同様に、ＰｔｏＰ型ネットワークかサーバ・クライアント型ネットワークかで処理主体などが変わることになるが、通常の技術の範囲内でその処理主体などは適宜設定されると良い。
【００２８】
また第一取得部では、他のＡＶ装置に適用するユーザ設定情報の取得元となる一のＡＶ装置を、以下のような構成によって特定する構成を備えても良い。具体的に、第一取得部は、図示しないＡＶ装置特定情報取得手段を有していても良い。
【００２９】
ＡＶ装置特定情報取得手段は、ＡＶ装置特定情報を取得する機能を有する。「ＡＶ装置特定情報」とは、ＡＶ装置の特定するための情報をいい、ＡＶ装置を一意に特定できるものであれば特に限定せず、例えばＭＡＣアドレス、製造番号、ＧＰＳ（全地球測位システム）測定などによる設置座標情報、あるいはユーザや本実施例のＡＶシステムが任意に付したニックネームや識別ＩＤなどが挙げられる。また、ＡＶ装置の機種名や型番などであっても、例えば設置場所情報などと組み合わせることでＡＶ装置を一意に特定できればそのような組み合わせ情報をＡＶ装置特定情報としても良い。そして、このＡＶ装置特定情報取得手段は、具体的に、例えば一のＡＶ装置がデフォルトで設定されていれば、当該デフォルトのＡＶ装置の特定情報がサーバ装置や全てのＡＶ装置のフラッシュメモリなどに保持されており、その保持されているＡＶ装置特定情報を取得する、という具合である。
【００３０】
あるいは、例えばユーザが任意のＡＶ装置をユーザ設定情報の取得元として指定できるように、ユーザ設定の同期開始操作を入力するＵＩ画面にＡＶ装置を選択する項目（例えばＡＶ装置にニックネームが設定可能あればニックネーム一覧から選択する項目など）を設け、そこで選択されたＡＶ装置特定情報を取得する構成などが挙げられる。あるいはユーザが他のＡＶ装置にユーザ設定情報を適用しようと考え操作入力を行ったＡＶ装置がその取得元になると想定し、前述のユーザ設定の同期命令を示す操作信号が入力されたＡＶ装置を特定する情報を取得する構成としても良い。
【００３１】
そして、このように取得された取得したＡＶ装置特定情報で示されるＡＶ装置を「一のＡＶ装置」として、ユーザ設定情報を取得する、という具合である。
【００３２】
第二取得部０２０２は、ＡＶ装置の属性情報に基づき補正情報を取得する機能を有し、例えばＣＰＵや主メモリ、Ｉ／Ｏ、第二取得プログラムなどによって実現することができる。また「補正情報」とは、一のＡＶ装置の設定情報を他のＡＶ装置に適用するために当該ユーザ設定情報を補正するためのパラメータなどで示される情報や、当該パラメータを算出するためのルールや演算式を示す情報をいう。
【００３３】
図４は、この補正情報の取得処理の一例を説明するための図である。ここで、例えばテレビ受像機αはグレアパネルを、一方のテレビ受像機βはノングレアパネルを採用しており、同じ映像を表示した場合に後者は前者の３／４の表示輝度しかない。そこで図４に示すように、補正情報としてテレビの種類（採用されている表示パネルの種類）ごとの表示輝度指数のテーブルデータによって、テレビ受像機αの表示輝度指数１００であり、テレビ受像機βの表示輝度指数が７５であることが示されている、という具合である。そしてテレビ受像機αのユーザ設定情報「輝度ゲイン値７５」をテレビ受像機βに適用する際には「輝度ゲイン値１００」とする、という具合に、後述する第三取得部にてこの補正情報を利用したユーザ設定情報の補正が実行される。
【００３４】
あるいはテレビ受像機αとβの色温度に関する補正情報として、例えば図５に示すような各装置ごとの設定値と色温度との関係性を示すテーブルデータがフラッシュメモリなどに保持されている。そして、この補正情報を参照することで、テレビ受像機αのユーザ設定情報「色温度：中」をテレビ受像機βに適用する際には、後述する第三取得部にて色温度の値が最も近いユーザ設定「色温度：高−中」が選択される、という具合である。
【００３５】
なお上記補正情報を取得するためのキーとなるＡＶ装置の属性情報としては、例えばＡＶ装置の識別情報、映像表示パネル特性情報、スピーカ特性情報のいずれか一以上が挙げられる。ここで「ＡＶ装置の識別情報」は、ＡＶ装置を一意に特定するＩＤに限定されずその装置特性を特定できるものであれば良い。例えば型番などで示される装置モデル情報などが挙げられる。また「表示パネルの特性情報」としては表示パネルの型番や、パネル素材名をはじめとする各材料の識別情報、パネルの表示方式の識別情報（液晶シャッター、プラズマ、有機ＥＬなど）が挙げられる。また「スピーカ特性情報」であればスピーカ装置の型番情報や、コーン／振動板名などの各材料の識別情報、音声伝達方法の識別情報（振動板や高周波放電、熱音響効果など）が挙げられる。また、上記の他に映像／音声処理チップやソフトウェアの特性情報（識別情報）などもＡＶ装置の属性情報として挙げられる。
【００３６】
あるいは装置特性の違いのみならず、前述のようにＡＶ装置の設置環境の違い（例えば薄暗いパーソナルシアタールームと明るい照明下の居間、通常の部屋と音響建材で作られた音響ルームなど）で、同じ装置で同じ設定値であっても映像の見え方や音声の聞こえ方が異なる。あるいは設置場所の雑音レベルが異なれば、同じデフォルトの音量値でも音の聞こえ方は異なる。そこで、ＡＶ装置の属性情報として、ＡＶ装置の設置位置情報、又は／及び設置場所の環境情報を取得するように構成しても良い。ＡＶ装置の「設置位置情報」とは、そのＡＶ装置が設置されている場所を示す情報であるが、例えば緯度経度情報などであると上記のような設置環境の違いを判断することが難しい。そこで設置位置情報としては、例えば「居間」や「シアタールーム」などその場所の種類などを識別できる情報であることが好ましい。もちろん、緯度経度情報と設置場所の種類情報を関連付けたデータテーブルなどを予め用意していれば、設置位置情報を緯度経度情報などとしても良い。
【００３７】
また設置場所の環境情報とは、映像や音声の出力形態（見え方や聞こえ方など）に影響を与える環境的諸条件を示す情報をいい、例えば設置場所の周囲照度や設置場所におけるデフォルトの視聴位置（ＡＶ装置からの距離）などを示す情報が挙げられる。あるいは設置場所の周囲音量（雑音）レベルや、設置場所の広さや形状、壁の音響反射率などを示す情報が挙げられる。
【００３８】
そして上記装置特性に関する属性情報と同様に、環境特性に関しても、例えばテレビ受像機αの設置されている居間とテレビ受像機βの設置されているシアタールームでは、映像の表示輝度に関して後者は前者の３／４の表示輝度しかないとして、補正情報として各各部屋の表示輝度指数を示すテーブルデータによって「居間」のテレビ受像機の表示輝度指数１００であり、「シアタールーム」のテレビ受像機の表示輝度指数が７５であることが示されている、という具合である。
【００３９】
また、この属性情報の取得に関しては、例えばＡＶ装置にこれら属性情報が保持されており、適宜サーバ装置や他のＡＶ装置に送信することで取得すると良い。また、前述のＡＶ装置特定情報と、上記各種の属性情報を関連付けたテーブルデータなどをサーバ装置や各ＡＶ装置が保持する構成とすることで、ＡＶ装置特定情報の取得によって属性情報が取得できるようにしても良い。
【００４０】
第三取得部０２０３は、取得した補正情報とユーザ設定情報から他のＡＶ装置の設定情報を取得する機能を有し、ＣＰＵや主メモリ、第三取得プログラムなどによって実現することができる。具体的には、前述の図４や図５で説明したように、ＡＶ装置の属性情報によってユーザ設定情報の取得元と適用先に係る例えば表示パネルのパラメータなどの補正情報を取得する。そして補正情報として、例えばテレビ受像機αの表示輝度指数１００であり、テレビ受像機βの表示輝度指数が７５であることが示されていれば、この指数を利用して「輝度ゲイン値７５」とのテレビ受像機αのユーザ設定情報を補正し、テレビ受像機βに適用するためのユーザ設定情報「輝度ゲイン値１００」を取得する、という具合である。
【００４１】
このように第三取得部では、補正情報を参照して両装置の相違を吸収するような（同一の見え方や聞こえ方となるような）補正済みのユーザ設定情報をＣＰＵの演算処理によって取得することができる。
【００４２】
なお上記の実施例では、例えばテレビ受像機αのユーザ設定を装置の「種類」が同じであるテレビ受像機βに適用する形態を例に挙げて説明したが、例えばオーディオコンポのスピーカ出力のユーザ設定を、その装置の「用途」が同じであるテレビ受像機の音声出力のユーザ設定に適用する形態であっても良い。
【００４３】
＜ハードウェア構成＞
図６は、上記機能的な各構成要件をハードウェアとして実現した際の、ＡＶシステムにおける構成の一例を表す概略図である。なおこの図では、上記各構成要件をサーバ装置のハードウェア構成で実現した例を示すが、もちろんそれに限定されない。そして、この図６を利用してサーバ装置における他のＡＶ装置用のユーザ設定情報の取得処理におけるそれぞれのハードウェア構成部の働きについて説明する。
【００４４】
この図にあるように、ＡＶシステムのサーバ装置は、各種演算処理を実行するためのＣＰＵ（中央演算装置）０６０１と、主メモリ０６０２と、を備えている。また補正情報の取得にかかる図４や５に示す各種データなどを保持するためのＨＤＤ０６０３や、ＡＶシステム内の各ＡＶ装置とＬＡＮなどを介して通信を行うための通信ＩＦ（インターフェース）０６０４なども備えている。そしてそれらがシステムバスなどのデータ通信経路によって相互に接続され、情報の送受信や処理を行う。
【００４５】
また、主メモリにはプログラムが読み出され、ＣＰＵは読み出された当該プログラムを参照し、プログラムで示される手順に従い各種演算処理を実行する。また、この主メモリやＨＤＤにはそれぞれ複数のアドレスが割り当てられており、ＣＰＵの演算処理においては、そのアドレスを特定し格納されているデータにアクセスすることで、データを用いた演算処理を行うことが可能になっている。
【００４６】
ここで、例えばＡＶシステム内のいずれかのＡＶ装置などからの操作入力により、各ＡＶ装置のユーザ設定の同期処理の開始を指示する信号を通信ＩＦにて受信する。すると、ＣＰＵは第一取得プログラムを解釈し、その解釈結果にしたがって、ユーザ設定情報の適用元となる一のＡＶ装置の特定処理を実行する。この処理は、例えば予めデフォルトのＡＶ装置特定情報がＨＤＤに保持されており、そのＡＶ装置特定情報を主メモリのアドレス１に読み出すことで一のＡＶ装置を特定しても良い。あるいは、受信した同期処理の開始信号に、ユーザ選択などで指定された一のＡＶ装置を特定するＡＶ装置特定情報が含まれていれば、そのＡＶ装置特定情報を主メモリのアドレス１に格納することで一のＡＶ装置を特定しても良い。
【００４７】
そして一のＡＶ装置を特定すると、そのＡＶ装置に対してユーザ設定情報を送信するよう指示する命令信号を通信ＩＦから出力し、その返信によって受信したユーザ設定情報を主メモリのアドレス２に格納する。あるいは、予めＡＶ装置特定情報とそのＡＶ装置の最新のユーザ設定情報とを関連付けて自身のＨＤＤに保持していれば、ＣＰＵの検索演算処理によってＡＶ装置特定情報に関連付けられているユーザ設定情報を主メモリのアドレス２に読み出す。
【００４８】
つづいてＣＰＵは第二取得プログラムを解釈し、その解釈結果にしたがいユーザ設定情報の補正後の適用先となる他のＡＶ装置の属性情報を取得し、主メモリのアドレス３に格納する。この処理は、例えばＡＶシステム内の全ての他のＡＶ装置を適用先にするとして、ＨＤＤに予め格納されている全ての他のＡＶ装置の属性情報を読み出すことで実行されても良い。あるいは、全てのＡＶ装置の中から、前記特定した一のＡＶ装置と同じ種類や用途の他のＡＶ装置を特定し、その特定した他のＡＶ装置の属性情報のみ取得する構成としても良い。その場合は、ＨＤＤに予め格納されているＡＶ装置ごとの装置種類情報（テレビ受像機やＣＤプレーヤなど）や用途区分情報（音声出力か映像出力かなど）を示すデータテーブルを参照すると良い。また、前述の受信した同期処理の開始信号に、ユーザが選択などした適用先の他のＡＶ装置を示す情報が含まれていれば、その情報で示される他のＡＶ装置の属性情報を取得しても良い。またユーザ設定情報の取得元である一のＡＶ装置の属性情報も、前述のＡＶ装置特定情報の取得と合わせて取得し、主メモリのアドレス４に格納する。
【００４９】
なお、上記他や一のＡＶ装置の属性情報の取得に関して、前述のとおりＨＤＤにＡＶ装置の特定情報とその属性情報が関連付けられたデータテーブルが保持されており、まずＡＶ装置の特定情報を取得した後に当該データテーブルを対象とするＣＰＵの検索演算処理によって属性情報を取得しても良い。あるいは属性情報そのものが同期処理の開始信号などに含まれ取得する構成としても良い。
【００５０】
そしてさらにＣＰＵは、ＨＤＤに格納されている各種補正情報を示すテーブルデータなどを参照し、主メモリに格納されている他のＡＶ装置と一のＡＶ装置の属性情報をキーとして、利用するパラメータなどを補正情報として取得し主メモリのアドレス５に格納する。
【００５１】
つづいてＣＰＵは第三取得プログラムを解釈し、その解釈結果にしたがって主メモリに格納されているパラメータを係数などとしユーザ設定情報のパラメータ値を補正する処理をＣＰＵの四則演算によって実行し、その補正後のユーザ設定情報を主メモリのアドレス６に格納する。そして、その補正後のユーザ設定情報を、補正情報の取得に利用した他のＡＶ装置を宛先として通信ＩＦから出力することで、当該他のＡＶ装置にてその装置特性や設置環境などに応じて適宜補正されたユーザ設定情報が適用される、という具合である。
【００５２】
＜処理の流れ＞
図７は、本実施例のＡＶシステムにおける処理の流れの一例を表すフローチャートである。なお、以下に示すステップは、上記のようなサーバ装置や各ＡＶ装置のハードウェア構成によって実行されるステップであっても良いし、媒体に記録されサーバ装置や各ＡＶ装置を制御するためのプログラムを構成する処理ステップであっても構わない。この図にあるように、まず、一のＡＶ装置からユーザ設定情報を取得する（ステップＳ０７０１）。つづいて、上記ユーザ設定情報の取得元である一のＡＶ装置や適用先となる他のＡＶ装置の属性情報を取得し（ステップＳ０７０２）、その取得した属性情報に基づき、一のＡＶ装置の設定情報を他のＡＶ装置に適用するための補正情報を取得する（ステップＳ０７０３）。そして取得した補正情報とユーザ設定情報から他のＡＶ装置の設定情報を、例えば所定の演算式を利用した演算などにより取得し（ステップＳ０７０４）、その補正されたユーザ設定情報を、補正情報を取得する際の属性情報で示される他のＡＶ装置に適用する。
【００５３】
＜効果の簡単な説明＞
以上のように、本実施例のＡＶシステムによって、ＡＶシステム内の複数のＡＶ装置間でユーザ設定情報を同期させる際に、各ＡＶ装置の装置特性や設置環境などが異なっていたとしても、その相違を吸収した上で同じような出力形態（見え方や聞こえ方）となるようなユーザ設定情報を取得することができる。
【符号の説明】
【００５４】
０２００  ＡＶシステム
０２０１  第一取得部
０２０２  第二取得部
０２０３  第三取得部
【図１】
2013123136.tif 000003
【図２】
2013123136.tif 000004
【図３】
2013123136.tif 000005
【図４】
2013123136.tif 000006
【図５】
2013123136.tif 000007
【図６】
2013123136.tif 000008
【図７】
2013123136.tif 000009